(57)【要約】【課題】歯科治療ユニットにおけるインスツルメント内の水回路やうがい水噴射回路に、外部（空気中）から細菌等が侵入するのを防止するようにした。【解決手段】水回路６’（又は７’）は、歯科治療用インスツルメント６（又はインスツルメントホース７）の水回路である。この水回路６’又は７’を挟んで磁石２０が設けられている。磁石２０は歯科治療用インスツルメント６が載置されるインスツルメントホルダー５に取り付けられ、歯科用インスツルメント６がインスツルメントホルダー５に載置された時に、該歯科治療用インスツルメント６の水回路６’を挟んで磁界２１を作用させる。この磁界２１の作用によって、インスツルメント６の大気開放端から侵入してきた細菌は、それ以上、インスツルメント水回路内の奥まで侵入せず、該水回路６内の水溜り部での繁殖が阻止される。【選択図】図１
2006280830.tif 000002
【特許請求の範囲】
【請求項１】
水を外部に放出する水回路を有する歯科治療ユニットにおいて、前記水回路の水放出端側近傍に、該水回路を挟んで磁界を作用させる磁石を有し、該磁界によって該水回路内に外部より細菌が侵入するのを防止するようにしたことを特徴とする歯科治療ユニットの水回路における防菌装置。
【請求項２】
前記水回路は、歯科治療用インスツルメントの水回路に連通する水回路であり、前記磁石は前記歯科治療用インスツルメントが載置されるインスツルメントホルダーに取り付けられ、前記歯科用インスツルメントが前記インスツルメントホルダーに載置された時に、該歯科治療用インスツルメントの水回路を挟んで磁界を作用させるものであることを特徴とする請求項１に記載の歯科治療ユニットの水回路における防菌装置。
【請求項３】
前記水回路は、歯科治療ユニットのうがい水放出回路であり、前記磁石は前記うがい水放出回路のうがい水放出端近傍に設けられ、該うがい水放出回路を挟んで磁界を作用させるものであることを特徴とする請求項１に記載の歯科治療ユニットの水回路における防菌装置。
【発明の詳細な説明】
【技術分野】
【０００１】
本発明は、歯科治療ユニットの水回路における防菌装置、より詳細には、歯科治療ユニットにおけるインスツルメント内の水回路やうがい水噴射回路に、外部（空気中）から細菌等が侵入するのを防止するようにした歯科治療ユニットの水回路における防菌装置に関する。
【背景技術】
【０００２】
図３は、本発明が適用される歯科治療ユニットの一例を説明するための概略全体構成図で、図中、１０は歯科治療ユニットで、該ユニット１０は、治療椅子１，ワークテーブル２，スピットン３，うがい水噴射管４，術者（ドクター）用インスツルメントホルダー５，術者用インスツルメント６，インスツルメントホース７，アシスタント用インスツルメントホルダー８等から成り、インスツルメントホルダー５には、歯科治療において使用する種々のインスツルメント６が収納されており、周知のように、歯科治療に当り、患者は椅子１に座り、頭を安頭台１１に固定して治療を受ける。治療中、術者は治療椅子１を上下動，倒起動，傾斜動等させて、患者を治療しやすい姿勢にし、インスツルメントホルダー５よりインスツルメント６を引き出して、治療を行う。
【０００３】
アシスタントホルダー８には、シリンジ，バキューム管，排唾管等９が準備されており、治療時、アシスタントが患者の口腔内を清浄にし、或いは、患者の口腔内に生じる汚液、唾液等を吸引・排出するようにしている。このアシスタントホルダー８は、スタンドアロン式のものがあるが、図に示すように、アーム１２を通して固定部材、例えば、スピットン１３に固定されているものもある。
【発明の開示】
【発明が解決しようとする課題】
【０００４】
上述のごとき、歯科治療ユニットにおいて、術者は、インスツルメントホルダー５からインスツルメント６を取り出して、例えば、エアータービンを取り出して歯牙の切削等を行うが、その際、当該インスツルメント６から水を噴射して被治療箇所を冷却し、アシスタントは、アシスタントホルダー８から、例えば、シリンジ９を取り出して患者の口腔内を清掃すること等が行われる。
【０００５】
上述のように、歯科治療ユニットにおいては、インスツルメント６内の水回路を通して患者の口腔内に水を噴射し、或いは、うがい時、うがい水噴射管４よりうがい水を放出し、該うがい水にて口腔内をうがいすることが行われている。
【０００６】
而して、前記インスツルメント６，９等は、インスツルメントホルダー５，８等に懸架されており、その間に、これらインスツルメント６，９の水回路内に、外気より細菌等が侵入し、該細菌がインスツルメントホースの水回路内の水溜りで繁殖し、これら細菌が、次回、インスツルメント使用時、患者の口腔内に入り、非衛生的であった。同様のことが、うがい水噴射管４についても言え、非使用時、該うがい水噴射管４に外部より細菌が侵入し、該うがい水噴射管４に連通する水溜り内で繁殖し、次回、うがい時、この細菌が患者の口腔内に入り、非衛生的であった。
【０００７】
本発明は、上述のごとき実情に鑑みてなされたもので、特に、歯科治療ユニットにおける水回路において、該水回路内の水溜りに外部（外気）より細菌が侵入するのを防止し、もって、該水回路内に細菌が繁殖するのを防止し、より衛生的な歯科治療を行うことのできる歯科治療ユニットを提供することを目的としてなされたものである。
【課題を解決するための手段】
【０００８】
請求項１の発明は、水を外部に放出する水回路を有する歯科治療ユニットにおいて、前記水回路の水放出端側近傍に、該水回路を挟んで磁界を作用させる磁石を有し、該磁界によって該水回路内に外部より細菌が侵入するのを防止するようにしたことを特徴としたものである。
【０００９】
請求項２の発明は、請求項１の発明において、前記水回路は、歯科治療用インスツルメントの水回路に連通する水回路であり、前記磁石は前記歯科治療用インスツルメントが載置されるインスツルメントホルダーに取り付けられ、前記歯科用インスツルメントが前記インスツルメントホルダーに載置された時に、該歯科治療用インスツルメントの水回路を挟んで磁界を作用させるものであることを特徴としたものである。
【００１０】
請求項３の発明は、請求項１の発明において、前記水回路は歯科治療ユニットのうがい水放出回路であり、前記磁石は前記うがい水放出回路のうがい水放出端近傍に設けられ、該うがい水放出回路を挟んで磁界を作用させるものであることを特徴としたものである。
【発明の効果】
【００１１】
本発明によると、歯科治療ユニットにおける水回路において、該水回路の外部（大気）に連通する端部近くに磁石を設け、該水回路内に細菌等が侵入するのを防止するようにしたので、より衛生的な歯科治療ユニットを提供することができる。
【発明を実施するための最良の形態】
【００１２】
図１は、本発明が適用される歯科治療ユニットの一部を示す図で、図中、２はワークテーブル、５は術者用インスツルメントホルダー、６は術者用インスツルメント、７は該インスツルメント６に着脱自在に連結され、該インスツルメント６にエアー、電気、水等を供給するインスツルメントホースで、歯科治療に当って、術者は、周知のように、該インスツルメントホルダー５から歯科治療に必要なインスツルメント６を取り出して、患者の口腔内治療を行うが、これらインスツルメント６は、非治療時は、図示のように、インスツルメントホルダー５に納められており、これらインスツルメント内に設けられている水回路は、その先端部開口が外気に連通しており、該先端部開口を通して、該水回路内に細菌が侵入し、該水回路内に溜まっている水内で繁殖し、これらが、次回、使用時に、患者の口腔内に噴出され、非常に非衛生的であった。
【００１３】
本発明は、上述のごとき実情に鑑みてなされたもので、歯科治療ユニットに設けられている水回路に、非使用時、該水回路の大気に連通している開口部から細菌が侵入するのを防止するようにし、歯科治療ユニットの水回路における、前述のごとき、非衛生を解消したものである。
【００１４】
図１（Ｂ）は、図１（Ａ）に示したインスツルメントホルダーを後側から見た時の一部概略構成断面図で、図中、６はインスツルメント、７はインスツルメントホースを示し、インスツルメントホルダー５の後部には、インスツルメント６（又はインスツルメントホース７）が載置されている。図１（Ｂ）では、説明を簡明にするために、インスツルメント６（又はインスツルメントホース７）は、水回路６’（又は７’）を有するものとして示し、その他のエアー回路、電気回路等は省略して示してある。
【００１５】
図１（Ｂ）において、歯科治療時、インスツルメント６（及びインスツルメントホース７）は、紙面後側に引き出されて使用されるものであるが、本発明においては、各インスツルメント６（又はインスツルメントホース７）を間に挟んで磁石２０を有し、該磁石２０によって形成される磁界２１が該インスツルメント６（又はインスツルメントホース７内に設けられている水回路６’（又は７’）を横切っている。
【００１６】
上述のように、本発明によると、歯科治療ユニットの水回路において、該水回路中の水溜り部より前方（大気開放端側、好ましくは、できるだけ大気開口部に近い側）に、該水回路と交差する磁界を発生するように磁石を設けたので、外気より、該水回路内に侵入してきた細菌は、磁界２１によって、その侵入が阻止され、水溜り部まで侵入することができず、該水溜り部で細菌が繁殖するようなことなく、衛生的である。
【００１７】
図２は、本発明の他の実施例を説明するための概略構成図で、図２に示した例は、本発明による磁石２０を、スピットン３のうがい水放出管４に設けたもので、図２（Ａ）は、コップ式うがい管４に磁石２０を設けた例、図２（Ｂ）は噴射式うがい管４に磁石２０を設けた例を示し、いずれも、水回路４’を磁石２０の磁界が横切っており、これにより、大気中の細菌が磁界部を通して該水回路内の奥部に侵入するようなことはなく、衛生的にうがいをすることができる。
【００１８】
以上に、本発明を歯科治療ユニットのインスツルメント用水回路、及び、うがい用水回路に適用した例について説明したが、本発明は、図示実施例に限定されるものではなく、必要に応じて、適宜、所定の水回路に適用されるものである。
【図面の簡単な説明】
【００１９】
【図１】本発明が適用される歯科治療ユニットの一部を示す図である。
【図２】本発明の他の実施例を説明するための概略構成図である。
【図３】本発明が適用される歯科治療ユニットの一例を説明するための概略全体構成図である。
【符号の説明】
【００２０】
１…歯科用治療椅子、２…ワークテーブル、３…スピットン、５…インスツルメントホルダー、６…インスツルメント、７…インスツルメントホース、８…アシスタント用インスツルメントホルダー、４’，６’，７’…水回路、２０…磁石、２１…磁界。
【図１】
2006280830.tif 000003
【図２】
2006280830.tif 000004
【図３】
2006280830.tif 000005